(57)【要約】【課題】外部からアドレス帳の宛先が更新された場合に、アドレス帳の宛先の更新を認識することが出来る画像形成装置を提供することを目的とする。【解決手段】画像形成装置が、送信機能を有し、補助記憶装置と、キャッシュメモリと、表示部と、操作部と、制御部とを備え、制御部は、補助記憶装置が記憶するアドレス帳データをキャッシュメモリに記憶させ、キャッシュメモリが記憶するアドレス帳データに基づいてアドレス帳を表示部に表示させ、操作部が送信先設定指示を受け付けると、送信先として指定された宛先を補助記憶装置のアドレス帳データから読み出し、読み出した宛先を送信先に設定する画像形成装置であって、制御部は、表示部にアドレス帳画面を表示している最中に、補助記憶装置のアドレス帳データが有する送信先として指定された宛先が更新されていた場合に、表示部に宛先更新通知画面を表示させる。【選択図】図２
2010130361.tif 000002
【特許請求の範囲】
【請求項１】
送信機能を有し、送信機能における送信先として設定される宛先が登録されたアドレス帳データを記憶する補助記憶装置と、キャッシュメモリと、表示部と、操作部と、前記補助記憶装置、前記キャッシュメモリ、前記表示部及び前記操作部を制御する制御部とを備え、前記制御部は、前記操作部がアドレス帳画面表示指示を受け付けると、前記補助記憶装置が記憶するアドレス帳データを前記キャッシュメモリに記憶させ、前記キャッシュメモリが記憶するアドレス帳データに基づいてアドレス帳を表示部に表示させ、操作部が送信先設定指示を受け付けると、送信先として指定された宛先を前記補助記憶装置のアドレス帳データから読み出し、前記補助記憶装置から読み出した宛先を送信先に設定する画像形成装置であって、
前記制御部は、前記表示部にアドレス帳画面を表示している最中に、前記補助記憶装置のアドレス帳データが有する送信先として指定された宛先が更新されていた場合に、前記表示部に宛先更新通知画面を表示させることを特徴とする画像形成装置。
【請求項２】
前記制御部は、前記補助記憶装置のアドレス帳データが有する送信先として指定された宛先が削除された場合には、当該宛先が削除された旨を通知する前記宛先更新通知画面を前記表示部に表示させることを特徴とする請求項１に記載の画像形成装置。
【請求項３】
制御部は、前記補助記憶装置のアドレス帳データが有する送信先として指定された宛先が変更された場合には、当該宛先が変更された旨を通知する前記宛先更新通知画面を前記表示部に表示させることを特徴とする請求項１または２に記載の画像形成装置。
【発明の詳細な説明】
【技術分野】
【０００１】
本発明は、複写機及び複合機等の画像形成装置に関する。
【背景技術】
【０００２】
現在、複合機等の画像形成装置には、ファクシミリ送信／受信機能、インターネットファクシミリ送信機能、電子メール送信機能、ＦＴＰ（File Transfer Protocol）送信機能及びＳＭＢ（Server Message Block）送信機能等の送信機能が搭載され、これら送信機能の搭載に伴って、送信先として設定する宛先を予め登録するアドレス帳機能が搭載されている。そして、この画像形成装置では、アドレス帳をハードディスク等の補助記憶装置に記憶させている。しかしながら、この補助記憶装置が記憶するアドレス帳を読み出してタッチパネル等の表示部に表示させることが出来るが、補助記憶装置のアクセス速度が遅い為に、タッチパネルのアドレス帳の表示及びアドレス帳のページ切り替えの際に、多少時間がかかってしまうという問題があった。その為、画像形成装置では、タッチパネルがアドレス帳を表示する場合に、アドレス帳を補助記憶装置からキャッシュメモリに記憶させ、タッチパネルは、キャッシュメモリが記憶するアドレス帳に基づいて、アドレス帳を表示するようにしている。
【０００３】
さらに、画像形成装置の中には、通信を介して、外部の通信装置から補助記憶装置が記憶するアドレス帳への宛先の新規登録、変更及び削除、すなわち更新を実行することが出来るものも存在する。例えば、通信を介して、データを更新することが出来るものとして、下記特許文献１には、他の通信装置から更新用制御プログラムとともに更新情報を受信すると、受信した更新情報を通知することにより、制御プログラムの更新内容をユーザに通知することのできる通信装置が開示されている。同様に、下記特許文献２には、所定のデータの入力を行うためのデータ入力手段を備えているとともに、通信回線からの、該所定のデータと同種のデータを受け付け、該受け付けたデータに基づいて所定のデータの更新を行える複写機であって、通信回線から入力された該所定のデータについては、複写機側において変更したり破壊したりできない複写機が開示されている。
【特許文献１】特開平１０−９１４６０号公報
【特許文献２】特開平１０−２２２０２４号公報
【発明の開示】
【発明が解決しようとする課題】
【０００４】
ところで、上記従来技術では、アドレス帳の表示処理速度の向上を目的として、補助記憶装置からキャッシュメモリに記憶させ、タッチパネルがキャッシュメモリが記憶するアドレス帳を読み出して表示させている。しかしながら、タッチパネルがキャッシュメモリのアドレス帳を表示している最中に、補助記憶装置が記憶する原本のアドレス帳が外部からの操作によって、書き換えられた場合に、補助記憶装置が記憶するアドレス帳データと、キャッシュメモリが記憶するアドレス帳データに不一致が生じる、すなわちタッチパネルが表示しているアドレス帳と、原本のアドレス帳データにデータの不一致が生じる。
【０００５】
その様なことになってしまうと、ユーザが、タッチパネルを操作してアドレス帳の所定の宛先を送信機能の送信先として設定したとしても、内部では、設定処理において補助記憶装置から再度読み出した宛先を設定することが行われており、当該宛先が補助記憶装の原本のアドレス帳に存在しない為に、実際には送信先として設定されないという問題が発生する。その際に、ユーザは、指定した宛先が送信先として設定されていないことを認識出来ずに、当該宛先を送信先として設定できたものと思い込み、そのまま送信を実行してしまうことがあった。
【０００６】
本発明は、上述した事情に鑑みてなされたものであり、外部からアドレス帳の宛先が更新された場合に、アドレス帳の宛先の更新を認識することが出来る画像形成装置を提供することを目的とする。
【課題を解決するための手段】
【０００７】
上記目的を達成するために、本発明では、画像形成装置に係る第１の解決手段として、
送信機能を有し、送信機能における送信先として設定される宛先が登録されたアドレス帳データを記憶する補助記憶装置と、キャッシュメモリと、表示部と、操作部と、前記補助記憶装置、前記キャッシュメモリ、前記表示部及び前記操作部を制御する制御部とを備え、前記制御部は、前記操作部がアドレス帳画面表示指示を受け付けると、前記補助記憶装置が記憶するアドレス帳データを前記キャッシュメモリに記憶させ、前記キャッシュメモリが記憶するアドレス帳データに基づいてアドレス帳を表示部に表示させ、操作部が送信先設定指示を受け付けると、送信先として指定された宛先を前記補助記憶装置のアドレス帳データから読み出し、前記補助記憶装置から読み出した宛先を送信先に設定する画像形成装置であって、前記制御部は、前記表示部にアドレス帳画面を表示している最中に、前記補助記憶装置のアドレス帳データが有する送信先として指定された宛先が更新されていた場合に、前記表示部に宛先更新通知画面を表示させるという手段を採用する。
【０００８】
本発明では、画像形成装置に係る第２の解決手段として、上記第１の解決手段において、前記制御部は、前記補助記憶装置のアドレス帳データが有する送信先として指定された宛先が削除された場合には、当該宛先が削除された旨を通知する前記宛先更新通知画面を前記表示部に表示させるという手段を採用する。
【０００９】
本発明では、画像形成装置に係る第３の解決手段として、上記第１または第２の解決手段において、制御部は、前記補助記憶装置のアドレス帳データが有する送信先として指定された宛先が変更された場合には、当該宛先が変更された旨を通知する前記宛先更新通知画面を前記表示部に表示させるという手段を採用する。
【発明の効果】
【００１０】
本発明によれば、画像形成装置において、制御部は、表示部にアドレス帳画面を表示している最中に、補助記憶装置のアドレス帳データが有する送信先として指定された宛先が更新されていた場合に、表示部に宛先更新通知画面を表示させる。従来のものでは、アドレス帳画面を表示中に宛先が更新された場合に、何も通知していなかったが、本発明に係る画像形成装置では、宛先更新通知画面を表示する為、ユーザが送信先として指定した宛先が、アドレス帳画面を表示中に外部によって更新されていたとしても、宛先更新通知画面によって宛先が更新されたことを認識することが出来る為、再び自分の意図する宛先を送信先として設定し直すことが出来る。
【発明を実施するための最良の形態】
【００１１】
以下、図面を参照して、本発明の一実施形態について説明する。本実施形態は、本発明の画像形成装置の１つであるコピー機能、プリント機能、スキャン機能、ファクシミリ送信／受信機能、インターネットファクシミリ送信／受信機能、電子メール送信機能、ＦＴＰ（File Transfer Protocol）送信機能及びＳＭＢ（Server Message Block）送信機能を併せ持つ複合機に関する。
図１は、本実施形態に係る複合機Ａによって構成される画像形成装置管理システムを示す概略構成図である。この画像形成装置管理システムは、図１に示すように、複合機Ａ及びコマンドセンタＢ及び公衆網Ｃによって構成されている。
【００１２】
複合機Ａは、複写開始指示に基づいてコピー処理を実行し、クライアントコンピュータ（図示略）から受け付けたプリント指示に基づいてプリント処理を実行し、さらに公衆網Ｃを介してファクシミリ送信機（図示略）からファクシミリを受信すると、ファクシミリ画像データに基づいて受信結果の出力処理を実行する。そして、複合機Ａは、送信機能（ファクシミリ送信機能、インターネットファクシミリ送信機能、電子メール送信機能、ＦＴＰ送信及びＳＭＢ送信）の搭載に伴って、送信先として設定する宛先を予め登録するアドレス帳機能が搭載されている。なお、この複合機Ａの動作の詳細については、後述する。
【００１３】
コマンドセンタＢは、公衆網Ｃを介して複合機Ａへ接続し、操作者の操作指示に応じて各種指示を公衆網Ｃを介して複合機Ａへ送信することによって、複合機Ａの動作を制御する。例えば、コマンドセンタＢは、操作者の操作指示に基づいてアドレス帳更新指示を複合機Ａへ送信する。複合機Ａは、コマンドセンタＢからアドレス帳更新指示を受信すると、内部に記憶するアドレス帳データの更新を実行する。
公衆網Ｃは、公衆の電話網及びインターネット網であり、複合機Ａと、コマンドセンタＢとを接続する。この公衆網Ｃは、複合機Ａ及びコマンドセンタＢの間の通信における信号の伝送路である。
【００１４】
上記構成の画像形成装置管理システムにおける複合機Ａの機能構成について、図２を参照して、説明する。図２は本実施形態に係る複合機Ａの機能ブロック図である。
複合機Ａは、コントローラ１、各種センサ群２、画像読取部３、画像データ記憶部４、用紙搬送／画像形成部５、通信Ｉ／Ｆ部６、操作表示部７、ハードディスク８及びキャッシュメモリ９を備えている。
【００１５】
コントローラ１は、複合機Ａの全体の動作を統括的に制御するものであり、ＣＰＵ(Central Processing Unit)１ａ、ＲＯＭ(Read Only Memory)１ｂ及びＲＡＭ(Random Access Memory)１ｃを備えている。ＣＰＵ１ａは、ＲＯＭ１ｂに記憶されている制御プログラム、各種センサ群２から受信する各種検出信号、画像データ記憶部４に記憶されている原稿画像データ、プリント画像データ及びファクシミリ画像データ、通信Ｉ／Ｆ部６を介してクライアントコンピュータ（図示略）並びに公衆網Ｃから入力される各種指示及び操作表示部７から入力される操作指示に基づいて複合機Ａの全体動作を制御する。
【００１６】
ＲＯＭ１ｂは、ＣＰＵ１ａによって実行される制御プログラム及びその他のデータを記憶する不揮発性メモリである。
ＲＡＭ１ｃは、ＣＰＵ１ａが制御プログラムを実行して各種動作を行う際に、データの一時保存先となるワーキングエリアとして用いられる揮発性メモリである。
【００１７】
各種センサ群２は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１ａに出力する。
画像読取部３は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部３は、原稿画像データをＣＰＵ１ａへ出力し、一方、ＣＰＵ１ａは、原稿画像データを画像データ記憶部４に記憶させる。
【００１８】
画像データ記憶部４は、例えばフラッシュメモリまたはハードディスクであり、ＣＰＵ１ａの指示の下、原稿画像データ、通信Ｉ／Ｆ部６がクライアントコンピュータ（図示略）から受信するプリント画像データ及び通信Ｉ／Ｆ部６が公衆網Ｃから受信するファクシミリ画像データを記憶する。
【００１９】
用紙搬送／画像形成部５は、プリントエンジン（給紙ローラ、給紙ローラ駆動用のモータ、感光ドラム、帯電器、現像装置、定着ローラ、排紙ローラ及び搬送ローラ駆動用のモータ等を含む物理的な画像形成工程を実行する機構）を備え、ＣＰＵ１ａの制御の下、用紙トレイ（図示略）から搬送ローラによって印刷用紙を感光ドラムへ搬送し、画像データ記憶部４の原稿画像データ、プリント画像データ及びファクシミリ画像データに基づいて感光ドラム上に形成したトナーから成る画像形成画像を印刷用紙へ転写し、定着ローラによって当該画像形成画像を印刷用紙へ定着させ、排紙ローラによって定着処理後の印刷用紙を排紙トレイ（図洲略）へ搬送する。
通信Ｉ／Ｆ部６は、外部のクライアントコンピュータ及び公衆網Ｃに接続し、このクライアントコンピュータ及び公衆網Ｃとの間で各種信号の送受信を行う。
【００２０】
操作表示部７は、図２に示すように、タッチパネル７ａ、ハードキー群７ｂ、操作表示ＣＰＵ７ｃ、操作表示ＲＯＭ７ｄ、操作表示ＲＡＭ７ｅ及び宛先簡略情報記憶部７ｆを備えている。
【００２１】
タッチパネル７ａは、押下箇所の座標の検出方式としてアナログ抵抗膜方式を採用したタッチパネルであり、押下箇所のＸ座標、Ｙ座標を示す押下座標信号を操作表示ＣＰＵ７ｃへ出力する。また、タッチパネル７ａは、操作表示ＣＰＵ７ｃの制御によって所定の画面を表示する。
【００２２】
ハードキー群７ｂは、コピー機能切替キー、プリント機能切替キー、スキャン機能切替キー、ファクシミリ機能切替キー、文書ボックスキー、スタートキー、ストップ／クリアキー、電源キー及びテンキー（数値入力キー）等の各種ハードキーから構成されており、各々の操作入力に応じた操作検出信号を操作表示ＣＰＵ７ｃへ出力する。
【００２３】
操作表示ＣＰＵ７ｃは、操作表示ＲＯＭ７ｄに記憶されている操作表示制御プログラム、タッチパネル７ａから入力される座標検出信号、ハードキー群７ｂから入力される操作検出信号及びＣＰＵ１ａの制御指示に基づいて、タッチパネル７ａの画面の表示等の操作表示部７の全体の動作を制御する。なお、操作表示制御プログラムには、タッチパネル７ａに表示する画面を形成するＧＵＩプログラム、ＧＵＩプログラムへＡＰＩ（Application Program Interface）を提供するブラウザプログラム、ＣＰＵ１ａと操作表示ＣＰＵ７ｃとの間の通信インタフェース機能をＧＵＩプログラム及びブラウザプログラムへ提供するミドルウェアプログラム等から構成されている。
【００２４】
操作表示ＲＯＭ７ｄは、操作表示ＣＰＵ７ｃによって実行される操作表示制御プログラム及びその他のデータを記憶する不揮発性メモリである。
操作表示ＲＡＭ７ｅは、操作表示ＣＰＵ７ｃが操作表示制御プログラムを実行して各種動作を行う際に、データの一時保存先となるワーキングエリアとして用いられる揮発性メモリである。
【００２５】
ハードディスク８は、周知のように磁性体を塗布または蒸着したディスクを一定の間隔で何枚も重ね合わせた構造になっており、このディスクをモータで高速に回転させ、磁気ヘッドによってデータを読み書きする。そして、このハードディスク８は、ＣＰＵ１ａの制御の下、アドレス帳データを記憶する。
キャッシュメモリ９は、ハードディスク８よりも高速にデータへアクセスすることが可能であり、ＣＰＵ１ａの制御の下、ハードディスク８が記憶しているアドレス帳データを記憶する。操作表示部７では、このキャッシュメモリ９が記憶するアドレス帳データに基づいて、タッチパネル７ａにアドレス帳を表示する。
なお、本実施形態に係る複合機Ａでは、コントローラ１、操作表示ＣＰＵ７ｃ、操作表示ＲＯＭ７ｄ及び操作表示ＲＡＭ７ｅが本発明の制御部を構成する。
【００２６】
次に、上記構成の本実施形態に係る複合機Ａの動作について、図３及び図４を参照して詳しく説明する。図３及び図４は、本実施形態に係る複合機Ａの動作を示すシーケンス図である。
まず、送信機能の１つであるファクシミリ送信を複合機Ａによって実行しようとするユーザは、操作表示部７のハードキー群７ｂまたはタッチパネル７ａが表示する操作ボタンを操作することによって、送信先設定基本画面をタッチパネル７ａに表示させる。そして、ユーザは、送信先を設定する為にタッチパネル７ａが表示する送信先設定基本画面の「Ａｄｄｒｅｓｓ  Ｂｏｏｋ」ボタンを押下する。
【００２７】
図５は、本実施形態に係る複合機Ａの送信先設定基本画面を示す図である。送信先設定基本画面には、図５に示すように、予め登録されている宛先をワンタッチ操作によって送信先として設定する為のワンタッチ送信先設定ボタン、送信先として設定された宛先と、宛先名とを表示する送信先表示領域、送信先件数及び各種メッセージを表示するメッセージ表示領域、送信先として設定された宛先への各種操作を行う為の操作ボタン及びアドレス帳データの各種操作を行う為のアドレス帳操作ボタンが設けられている。そして、送信先設定ボタンには、アドレス帳操作ボタンの１つとして「Ａｄｄｒｅｓｓ  Ｂｏｏｋ」ボタンが設けられている。
【００２８】
操作表示ＣＰＵ７ｃは、タッチパネル７ａが表示する「Ａｄｄｒｅｓｓ  Ｂｏｏｋ」ボタンの押下による座標検出信号を受信すると、アドレス帳画面表示指示を受け付けたと判断し（ステップＳ１）、アドレス帳画面表示指示を受け付けると、キャッシュメモリ記憶要求をＣＰＵ１ａへ送信する（ステップＳ２）。
【００２９】
ＣＰＵ１ａは、操作表示ＣＰＵ７ｃからキャッシュメモリ記憶要求を受信すると、ハードディスク８が記憶するアドレス帳データを全てキャッシュメモリ９に記憶させ（ステップＳ３）、キャッシュメモリ９のアドレス帳データの記憶が完了すると、キャッシュメモリ記憶通知を送信する（ステップＳ４）。
操作表示ＣＰＵ７ｃは、ＣＰＵ１ａからキャッシュメモリ記憶通知を受信すると、キャッシュメモリ９が記憶するアドレス帳データに基づいて、アドレス帳画面をタッチパネル７ａに表示させる（ステップＳ５）。
【００３０】
図６は、本実施形態に係る複合機Ａのアドレス帳画面を示す図である。アドレス帳画面には、図６に示すように、宛先一覧表示領域及び「ＯＫ」ボタンが設けられている。宛先一覧表示領域には、アドレス帳の宛先が一覧形式で表示されている。そして、宛先一覧表示領域は、ページ切替ボタンが設けられており、このページ切替ボタンの押下によって、宛先の一覧を表示するページが切り替わる。ユーザは、宛先一覧表示領域が表示する宛先の中から送信先として設定する宛先を指定する為に、所望の宛先を表示しているタッチパネルの領域をタッチする。すると、宛先一覧表示領域の宛先のチャックボックスにチェックが付く。そして、その状態で、ユーザが「ＯＫ」ボタンが押下されると、指定された宛先が送信先として設定される。
【００３１】
操作表示ＣＰＵ７ｃは、ステップＳ５の後に、タッチパネル７ａが表示する「ＯＫ」ボタンの押下による座標検出信号を受信すると、送信先設定指示を受け付けたと判断し（ステップＳ６）、宛先一覧表示領域の中の指定されている宛先を送信先として設定する為に、送信先として指定された宛先の宛先コードを付加情報として含む送信先設定要求をＣＰＵ１ａへ送信する（ステップＳ７）。
【００３２】
ＣＰＵ１ａは、操作表示ＣＰＵ７ｃから送信先設定要求を受信すると、ハードディスク８のアドレス帳データが有する送信先設定要求の宛先コードの宛先と、キャッシュメモリ９のアドレス帳データが有する送信先設定要求の宛先コードの宛先とを比較することによって、ハードディスク８のアドレス帳データが有する送信先設定要求の宛先コードの宛先と、キャッシュメモリ９のアドレス帳データが有する送信先設定要求の宛先コードの宛先とが一致するか否か判定する（ステップＳ８）。
【００３３】
ＣＰＵ１ａが、ステップＳ８において『ＹＥＳ』と判定した場合には、すなわちハードディスク８のアドレス帳データの宛先と、キャッシュメモリ９のアドレス帳データの宛先とが一致する場合には、ハードディスク８のアドレス帳データの宛先を送信先として設定すると共に送信先設定完了通知を操作表示ＣＰＵ７ｃへ送信し（ステップＳ９）、ステップＳ７において『ＮＯ』と判定した場合には、すなわちハードディスク８のアドレス帳データの宛先と、キャッシュメモリ９のアドレス帳データの宛先とが一致しない場合には、宛先更新通知を操作表示ＣＰＵ７ｃへ送信する（ステップＳ１０）。例えば、複合機Ａのタッチパネル７ａがアドレス帳画面を表示している最中に、コマンドセンタＢが、複合機Ａのハードディスクのアドレス帳データを更新した場合に、ＣＰＵ１ａが、上記ステップＳ９の動作を行う。
【００３４】
操作表示ＣＰＵ７ｃは、送信先設定完了通知または宛先更新通知のいずれを受信したか否か判定し（ステップＳ１１）、送信先設定完了通知を受信した場合には、送信先として設定された宛先を宛先設定基本画面の送信先表示領域に表示させ（ステップＳ１２）、宛先更新通知を受信した場合には、送信先設定基本画面上に宛先更新通知画面をタッチパネル７ａに表示させる（ステップＳ１３）。図７は、本実施形態に係る複合機Ａの送信先設定基本画面上の宛先更新通知画面を示す図である。図７に示す宛先更新通知画面は、ハードディスク８のアドレス帳データの宛先が削除された旨を通知する宛先更新通知画面である。
【００３５】
そして、図６とは異なり、ハードディスク８のアドレス帳データの宛先が変更された場合には、操作表示ＣＰＵ７ｃは、ハードディスク８のアドレス帳データの宛先が変更された旨を通知する宛先更新通知画面をタッチパネル７ａに表示させる。これは、ＣＰＵ１ａが、上記ステップＳ８において、ハードディスク８の宛先と、キャッシュメモリ９の宛先とを比較することによって、宛先が削除または変更されたことを認識し、上記ステップＳ１０において送信する宛先更新通知の付加情報として削除または変更された宛先の宛先コードと、削除または変更を示す情報とを載せることによって、可能である。
【００３６】
以上のように、本実施形態に係る複合機Ａでは、ＣＰＵ１ａは、操作表示ＣＰＵ７ｃから送信先設定要求を受信すると、ハードディスク８のアドレス帳データの宛先と、キャッシュメモリ９のアドレス帳データの宛先とが一致するか判定し、一致しない場合に宛先更新通知を操作表示ＣＰＵ７ｃへ送信する。そして、操作表示ＣＰＵ７ｃは、宛先更新完了通知を受信すると、タッチパネル７ａに宛先更新通知画面を表示させる。従来のものでは、アドレス帳画面を表示中に宛先が更新された場合に、何も通知していなかったが、本実施形態に係る複合機Ａでは、宛先更新通知画面を表示する為、ユーザが送信先として指定した宛先が、アドレス帳画面を表示中にコマンドセンタＢによって更新されていたとしても、宛先更新通知画面によって宛先が更新されたことを認識することが出来る為、再び自分の意図する宛先を送信先として設定し直すことが出来る。
【００３７】
以上、本発明の一実施形態について説明したが、本発明は上記実施形態に限定されることなく、例えば以下のような変形が考えられる。
（１）上記実施形態に係る複合機Ａの動作の一例として、ファクシミリ送信における送信先の設定の動作を例示して説明したが、複合機Ａに搭載されるインターネットファクシミリ送信機能、電子メール送信機能、ＦＴＰ送信及びＳＭＢ送信等のあらゆる送信機機能における送信先の設定の動作に、上述した動作を適用することが出来る。
【００３８】
（２）上記実施形態のＣＰＵ１ａは、ハードディスク８のアドレス帳データの宛先と、キャッシュメモリ９のアドレス帳データの宛先を比較することによって、アドレス帳画面の表示中にハードディスク８のアドレス帳データの宛先が更新されたことを認識したが、本発明はこれに限定されない。例えば、ＣＰＵ１ａは、アドレス帳画面の表示中にハードディスク８のアドレス帳データの宛先が更新される度に、宛先更新履歴をＲＯＭ１ｂに記憶させ、操作表示ＣＰＵ７ｃから送信先設定要求を受信すると、宛先更新履歴に基づいて送信先設定要求に含まれる宛先コードの宛先が更新されたか否か判定するようにしてもよい。
【図面の簡単な説明】
【００３９】
【図１】本発明の一実施形態に係る複合機Ａによって構成される画像形成装置管理システムを示す概略構成図である。
【図２】本発明の一実施形態に係る複合機複合機Ａの機能ブロック図である。
【図３】本発明の一実施形態に係る複合機Ａの動作を示すシーケンス図である。
【図４】本発明の一実施形態に係る複合機Ａの動作を示すシーケンス図（図３の続き）である。
【図５】本発明の一実施形態に係る複合機Ａの送信先設定基本画面を示す図である。
【図６】本発明の一実施形態に係る複合機Ａのアドレス帳画面を示す図である。
【図７】本発明の一実施形態に係る複合機Ａの送信先設定基本画面上の宛先更新通知画面を示す図である。
【符号の説明】
【００４０】
Ａ…複合機、Ｂ…コマンドセンタ、Ｃ…公衆網、１…コントローラ、１ａ…ＣＰＵ、１ｂ…ＲＯＭ、１ｃ…ＲＡＭ、２…各種センサ群、３…画像読取部、４…画像データ記憶部、５…用紙搬送／画像形成部、６…通信Ｉ／Ｆ部、７…操作表示部、７ａ…タッチパネル、７ｂ…ハードキー群、７ｃ…操作表示ＣＰＵ、７ｄ…操作表示ＲＯＭ、７ｅ…操作表示ＲＡＭ、８…ハードディスク、９…キャッシュメモリ
【図１】
2010130361.tif 000003
【図２】
2010130361.tif 000004
【図３】
2010130361.tif 000005
【図４】
2010130361.tif 000006
【図５】
2010130361.tif 000007
【図６】
2010130361.tif 000008
【図７】
2010130361.tif 000009